(57)【要約】  【課題】通話相手との会話を消音することなく効率よくハウリングの発生を予防する。  【解決手段】マイク入力信号の音量レベルを測定するマイク入力信号測定部１３と、受話信号の音量レベルを測定する受話信号測定部１４と、送話信号の音量レベルを調整する送話信号調整部１５と、スピーカ出力信号の音量レベルを調整するスピーカ出力信号調整部１６と、マイク入力信号の音量レベルと受話信号の音量レベルとの比較結果に基づいて、電話装置１が送話側かそれとも受話側かを判定する判定部１７と、判定結果に基づいて送話信号調整部１５およびスピーカ出力信号調整部１６を制御する制御部１８と、を備える。制御部１８は、送話側と判定された場合に、スピーカ出力信号調整部１６を制御してスピーカ出力信号の音量レベルを下げ、受話側と判定された場合に、送話信号調整部１５を制御して送話信号の音量レベルを下げる。【選択図】図１
2019004394.tif 000002
【特許請求の範囲】
【請求項１】
ハンズフリー通話におけるハウリングを防止するハウリング防止装置であって、
マイクに入力された音声信号であるマイク入力信号の音量レベルを測定するマイク入力信号測定手段と、
相手装置から受信した音声信号である受話信号の音量レベルを測定する受話信号測定手段と、
送話信号として前記相手装置に送信する前記マイク入力信号の音量レベルを調整する送話信号調整手段と、
スピーカ出力信号としてスピーカに出力する前記受話信号の音量レベルを調整するスピーカ出力信号調整手段と、
前記マイク入力信号測定手段により測定された前記マイク入力信号の音量レベルと前記受話信号測定手段により測定された前記受話信号の音量レベルとの比較結果に基づいて、自装置が送話側か受話側かを判定する判定手段と、
前記判定手段の判定結果に基づいて、前記送話信号調整手段および前記スピーカ出力信号調整手段を制御する制御手段と、を備え、
前記制御手段は、
前記判定手段により自装置が送話側であると判定された場合に、前記スピーカ出力信号調整手段を制御して、前記スピーカ出力信号の音量レベルを少なくとも消音レベルより大きな所定の第一抑制レベルに下げ、
前記判定手段により自装置が受話側であると判定された場合に、前記送話信号調整手段を制御して、前記送話信号の音量レベルを少なくとも消音レベルより大きな所定の第二抑制レベルに下げる
ことを特徴とするハウリング防止装置。
【請求項２】
請求項１に記載のハウリング防止装置であって、
前記判定手段は、
前記マイク入力信号測定手段により測定された前記マイク入力信号の音量レベルが前記受話信号測定手段により測定された前記受信信号の音量レベルより大きく、かつ所定の第一基準レベル以上である場合に、自装置が送話側であると判定し、
前記受話信号測定手段により測定された前記受信信号の音量レベルが前記マイク入力信号測定手段により測定された前記マイク入力信号の音量レベルより大きく、かつ所定の第二基準レベル以上である場合に、自装置が受話側であると判定する
ことを特徴とするハウリング防止装置。
【請求項３】
請求項２に記載のハウリング防止装置であって、
前記判定手段は、
前記マイク入力信号測定手段により測定された前記マイク入力信号の音量レベルが前記第一基準レベルより低く、かつ前記受話信号測定手段により測定された前記受信信号の音量レベルが前記第二基準レベルより低い場合、待機状態であると判定し、
前記制御手段は、
前記判定手段により待機状態であると判定された場合に、前記スピーカ出力信号調整手段に前記スピーカ出力信号の音量レベルを減衰させるための制御、あるいは前記送話信号調整手段に前記送話信号の音量レベルを減衰させるための制御を実施中ならば、当該制御を停止する
ことを特徴とするハウリング防止装置。
【請求項４】
ハンズフリー通話機能を有する電話装置であって、
請求項１ないし３のいずれか一項に記載のハウリング防止装置を備える
ことを特徴とする電話装置。
【発明の詳細な説明】
【技術分野】
【０００１】
本発明は、ハンズフリー通話におけるハウリング防止技術に関する。
【背景技術】
【０００２】
ハンズフリー通話機能を利用した電話装置同士の通話において、一方の電話装置のスピーカから出力された音声が一方の電話装置のマイクに回り込んで他方の電話装置に送られ、さらに他方の電話装置のスピーカから出力された音声が他方の電話装置のマイクに回り込んで一方の電話装置に送られると、これが正帰還となって通話路を伝送する音声信号が増幅され、ハウリングを起こすことがある。
【０００３】
特許文献１には、このようなハウリングを抑制することのできるハウリング抑制装置が開示されている。このハウリング抑制装置は、マイクに入力された音声信号の振幅を測定する振幅測定部と、スピーカへ出力される音声信号の振幅を減衰させる振幅減衰部と、マイクに入力された音声信号に基づいてハウリングが発生しているか否かを判定するハウリング判定部と、を備えている。そして、ハウリング判定部によりハウリングが発生していると判定された場合、振幅減衰部により、スピーカへ出力される音声信号の振幅を消音レベルまで減衰させる消音制御を実施する。また、振幅減衰部により消音制御が実施されている状態において、振幅測定部により測定されたマイクに入力された音声信号の振幅が所定のしきい振幅より大きく、かつハウリング判定部によりハウリングが発生していないと判定された場合、振幅減衰部による消音制御を解除する。
【先行技術文献】
【特許文献】
【０００４】
【特許文献１】特開２０１１−１１４７５８号公報
【発明の概要】
【発明が解決しようとする課題】
【０００５】
しかしながら、特許文献１に記載のハウリング抑制装置は、ハウリングが発生していると判定してから消音制御を実施するため、瞬間的にハウリングが発生してしまう。つまり、ハウリングの発生を予防することができない。また、ハウリングが発生しているか否かの判定は、正帰還による音声信号の増幅を検知する必要があり、これを高精度に検知するには複雑な処理が要求され、コストが嵩む。さらに、ハウリングが発生していると判定された場合、消音制御を実施して、スピーカへ出力される音声信号の振幅を消音レベルまで減衰させるので、この間に通話相手が発話しても、その音声信号が消音されて通話相手の発話を聞き取ることができない。
【０００６】
本発明は上記事情に鑑みてなされたものであり、本発明の目的は、通話相手との会話を消音することなく効率よくハウリングの発生を予防することにある。
【課題を解決するための手段】
【０００７】
上記課題を解決するために、本発明では、マイクに入力された音声信号の音量レベルと相手装置から受信した音声信号の音量レベルとの比較結果に基づいて、自装置が送話（話し手）側か、それとも受話（聞き手）側かを判定する。そして、自装置が送話側である判定した場合、相手装置から受信した音声信号の音量レベルを少なくとも消音レベルより大きな所定の音量レベルに下げてからスピーカへ出力する。また、自装置が受話側である判定した場合、マイクに入力された音声信号の音量レベルを少なくとも消音レベルより大きな所定の音量レベルに下げてから相手装置に送信する。
【０００８】
例えば、本発明のハウリング防止装置は、
ハンズフリー通話におけるハウリングを防止するハウリング防止装置であって、
マイクに入力された音声信号であるマイク入力信号の音量レベルを測定するマイク入力信号測定手段と、
相手装置から受信した音声信号である受話信号の音量レベルを測定する受話信号測定手段と、
送話信号として前記相手装置に送信する前記マイク入力信号の音量レベルを調整する送話信号調整手段と、
スピーカ出力信号としてスピーカに出力する前記受話信号の音量レベルを調整するスピーカ出力信号調整手段と、
前記マイク入力信号測定手段により測定された前記マイク入力信号の音量レベルと前記受話信号測定手段により測定された前記受話信号の音量レベルとの比較結果に基づいて、自装置が送話側か受話側かを判定する判定手段と、
前記判定手段の判定結果に基づいて、前記送話信号調整手段および前記スピーカ出力信号調整手段を制御する制御手段と、を備え、
前記制御手段は、
前記判定手段により自装置が送話側であると判定された場合に、前記スピーカ出力信号調整手段を制御して、前記スピーカ出力信号の音量レベルを少なくとも消音レベルより大きな所定の第一抑制レベルに下げ、
前記判定手段により自装置が受話側であると判定された場合に、前記送話信号調整手段を制御して、前記送話信号の音量レベルを少なくとも消音レベルより大きな所定の第二抑制レベルに下げる。
【０００９】
また、本発明の電話装置は、
ハンズフリー通話機能を有する電話装置であって、
上述のハウリング防止装置を備える。
【発明の効果】
【００１０】
本発明は、自装置が送話（話し手）側か、それとも受話（聞き手）側かに基づいて、スピーカへ出力する音声信号あるいはマイクに入力された音声信号の音量レベルを下げるので、ハウリングの発生を予防することができる。また、自装置が送話側か、それとも受話側かの判定は、マイクに入力された音声信号の音量レベルと相手装置から受信した音声信号の音量レベルとの比較結果に基づいて行われるので、ハウリングが発生しているか否かの判定とは異なり、正帰還による音声信号の増幅を検知する必要がなく、処理を簡素化することができる。さらに、スピーカへ出力する音声信号あるいはマイクに入力された音声信号の音量レベルを少なくとも消音レベルより大きな所定の音量レベルに下げるので、自装置が送話側と判定された場合でも通話相手の発話を聞き取ることができ、また自装置が受話側と判定された場合でも自装置のユーザの発話を通話相手に聞き取らせることができる。したがって、本発明によれば、通話相手との会話を消音することなく効率よくハウリングの発生を予防することができる。
【図面の簡単な説明】
【００１１】
【図１】図１は、本発明の一実施の形態に係る電話装置１の概略構成図である。
【図２】図２は、電話装置１の動作を説明するためのフロー図である。
【発明を実施するための形態】
【００１２】
以下に、本発明の一実施の形態について図面を参照して説明する。
【００１３】
図１は、本実施の形態に係る電話装置１の概略構成図である。
【００１４】
本実施の形態に係る電話装置１は、ハンズフリー通話機能を備えており、図示するように、通信インターフェース部１０と、マンマシンインターフェース部１１と、電話機能部１２と、マイク入力信号測定部１３と、受話信号測定部１４と、送話信号調整部１５と、スピーカ出力信号調整部１６と、判定部１７と、制御部１８と、を備えている。
【００１５】
通信インターフェース部１０は、公衆電話網、ＩＰ電話網、内線電話網等の電話網を介して相手装置と通信を行うためのインターフェースである。
【００１６】
マンマシンインターフェース部１１は、ハンズフリー通話したり、情報を表示したり、各種操作を受け付けたりするためのインターフェースであり、ハンズフリー通話用のマイク１１０およびスピーカ１１１と、オンフック、オフフック、ダイヤル操作等の各種操作を受け付けるための操作部１１２と、ＬＣＤ（Ｌｉｑｕｉｄ  Ｃｒｙｓｔａｌ  Ｄｉｓｐｌａｙ）等の表示部１１３と、を有する。
【００１７】
電話機能部１２は、呼制御処理、通話処理等、電話機としての機能を実現するための処理を行う。
【００１８】
マイク入力信号測定部１３は、マイク１１０に入力された音声信号であるマイク入力信号の音量レベルを測定する。
【００１９】
受話信号測定部１４は、電話機能部１２が通信インターフェース部１０を介して相手装置から受信した音声信号である受話信号の音量レベルを測定する。
【００２０】
送話信号調整部１５は、電話機能部１２が通信インターフェース部１０を介して相手装置に送話信号として送信するマイク入力信号の音量レベルを調整する。
【００２１】
スピーカ出力信号調整部１６は、電話機能部１２がスピーカ出力信号としてスピーカ１１１に出力する受話信号の音量レベルを調整する。
【００２２】
判定部１７は、マイク入力信号測定部１３により測定されたマイク入力信号の音量レベルと受話信号測定部１４により測定された受話信号の音量レベルとの比較結果に基づいて、自電話装置１が送話側かそれとも受話側かを判定する。
【００２３】
そして、制御部１８は、判定部１７の判定結果に基づいて、送話信号調整部１５およびスピーカ出力信号調整部１６を制御する。
【００２４】
図２は、電話装置１の動作を説明するためのフロー図である。
【００２５】
このフローは、電話機能部１２が通信インターフェース部１０を介して相手装置とハンズフリー通話中に実施される。
【００２６】
まず、判定部１７は、マイク入力信号測定部１３で測定された最新のマイク入力信号の音量レベルを取得するとともに、受話信号測定部１４で測定された最新の受話信号の音量レベルを取得する（Ｓ１００）。
【００２７】
つぎに、判定部１７は、マイク入力信号測定部１３から取得したマイク入力信号の音量レベルが受話信号測定部１４から取得した受話信号の音量レベルより大きいか否かを判断し（Ｓ１０１）、大きいならば（Ｓ１０１でＹＥＳ）、このマイク入力信号の音量レベルがハウリングを引き起こす可能性がある音量レベルとして予め設定された第一基準レベル以上であるか否かをさらに判断する（Ｓ１０２）。そして、マイク入力信号の音量レベルが第一基準レベル未満であるならば（Ｓ１０２でＮＯ）、Ｓ１１０に進む。一方、マイク入力信号の音量レベルが第一基準レベル以上であるならば（Ｓ１０２でＹＥＳ）、判定部１７は、自電話装置１が送話（話し手）側であると判定し（Ｓ１０３）、この判定結果を制御部１８に渡す。
【００２８】
これを受けて、制御部１８は、スピーカ出力信号調整部１６を制御して、スピーカ出力信号の音量レベルを、ハウリングを引き起こす可能性のない音量レベルとして予め設定された、少なくとも消音レベルより大きな第一抑制レベルに下げる（Ｓ１０４）。それから、Ｓ１００に戻る。
【００２９】
一方、マイク入力信号測定部１３から取得したマイク入力信号の音量レベルが受話信号測定部１４から取得した受話信号の音量レベル以下の場合は（Ｓ１０１でＮＯ）、Ｓ１０５に進む。
【００３０】
Ｓ１０５において、判定部１７は、受話信号測定部１４から取得した受話信号の音量レベルがマイク入力信号測定部１３から取得したマイク入力信号の音量レベルより大きいか否かを判断し、大きいならば（Ｓ１０５でＹＥＳ）、この受話信号の音量レベルがハウリングを引き起こす可能性のある音量レベルとして予め設定された第二基準レベル以上であるか否かをさらに判断する（Ｓ１０６）。そして、受話信号の音量レベルが第二基準レベル以上であるならば（Ｓ１０６でＹＥＳ）、判定部１７は、自電話装置１が受話（聞き手）側であると判定し（Ｓ１０７）、この判定結果を制御部１８に渡す。
【００３１】
これを受けて、制御部１８は、送話信号調整部１５を制御して、送話信号の音量レベルを、ハウリングを引き起こす可能性のない音量レベルとして予め設定された、少なくとも消音レベルより大きな第二抑制レベルに下げる（Ｓ１０８）。それから、Ｓ１００に戻る。
【００３２】
一方、受話信号測定部１４から取得した受話信号の音量レベルがマイク入力信号測定部１３から取得したマイク入力信号の音量レベル以下の場合（Ｓ１０５でＮＯ）、あるいは、マイク入力信号の音量レベルが第二基準レベル未満である場合（Ｓ１０６でＮＯ）、Ｓ１１０に進む。
【００３３】
Ｓ１１０において、判定部１７は、マイク入力信号測定部１３から取得したマイク入力信号の音量レベルが上述の第一基準レベル未満であり、かつ受話信号測定部１４から入手した受話信号の音量レベルが上述の第二基準レベル未満であるとの要件を満たすか否かを判断する。そして、この要件を満たさないならば（Ｓ１１０でＮＯ）、Ｓ１００に戻る。
【００３４】
一方、マイク入力信号の音量レベルが第一基準レベル未満であり、かつ受話信号の音量レベルが第二基準レベル未満である場合（Ｓ１１０でＹＥＳ）、判定部１７は、自電話装置１が待機状態であると判定し（Ｓ１１１）、この判定結果を制御部１８に渡す。
【００３５】
これを受けて、制御部１８は、スピーカ出力信号調整部１６にスピーカ出力信号の音量レベルを第一抑制レベルに下げさせるための制御、あるいは送話信号調整部１５に送話信号の音量レベルを第二抑制レベルに下げさせるための制御を実施中であるか否かを判断する（Ｓ１１２）。そして、スピーカ出力信号調整部１６にスピーカ出力信号の音量レベルを第一抑制レベルに下げさせるための制御、および送話信号調整部１５に送話信号の音量レベルを第二抑制レベルに下げさせるための制御のいずれも実施中でないならば（Ｓ１１２でＮＯ）、Ｓ１００に戻る。
【００３６】
一方、スピーカ出力信号調整部１６にスピーカ出力信号の音量レベルを第一抑制レベルに下げさせるための制御、あるいは送話信号調整部１５に送話信号の音量レベルを第二抑制レベルに下げさせるための制御を実施中である場合（Ｓ１１２でＹＥＳ）、制御部１８は、実施中の制御を停止し（Ｓ１１３）、それから、Ｓ１００に戻る。
【００３７】
以上、本発明の一実施の形態について説明した。
【００３８】
本実施の形態では、電話装置１が送話（話し手）側か、それとも受話（聞き手）側かに基づいて、スピーカ出力信号あるいは送話信号の音量レベルを下げるので、ハウリングの発生を予防することができる。また、電話装置１が送話側か、それとも受話側かの判定は、マイク入力信号の音量レベルと受話信号の音量レベルとの比較結果に基づいて行われるので、ハウリングが発生しているか否かの判定とは異なり、正帰還による音声信号の増幅を検知する必要がなく、処理を簡素化することができる。さらに、スピーカ出力信号あるいは送話信号の音量レベルを少なくとも消音レベルより大きな音量レベルに下げるので、電話装置１が送話側と判定された場合でも、電話装置１のユーザは、相手装置のユーザの発話を聞き取ることができ、また電話装置１が受話側と判定された場合でも、相手装置に電話装置１のユーザの発話を聞き取らせることができる。したがって、本実施の形態によれば、通話相手との会話を消音することなく効率よくハウリングの発生を予防することができる。
【００３９】
また、本実施の形態では、マイク入力信号の音量レベルが、受話信号の音量レベルより大きく、かつ第一基準レベル以上である場合に、電話装置１が送話側であると判定し、受信信号の音量レベルが、マイク入力信号の音量レベルより大きく、かつ第二基準レベル以上である場合に、電話装置１が受話側であると判定している。したがって、ハウリングを引き起こすマイク入力信号の音量レベルおよび受話信号の音量レベルを調査し、その調査結果に基づいて第一基準レベルおよび第二基準レベルを設定することにより、スピーカ出力信号の音量レベルを下げる制御および送話信号の音量レベルを下げる制御の実施頻度を少なくして、より自然な会話を実現することができる。
【００４０】
また、本実施の形態では、マイク入力信号の音量レベルが第一基準レベルより低く、かつ受信信号の音量レベルが第二基準レベルより低い場合、電話装置１が待機状態であると判定し、スピーカ出力信号の音量レベルを第一抑制レベルに下げる制御、あるいは送話信号の音量レベルを第二抑制レベルに下げる制御を実施中ならば、この制御を停止している。したがって、スピーカ出力信号の音量レベルを下げる制御、あるいは送話信号の音量レベルを下げる制御が不必要に継続することを防止して、より自然な会話を実現することができる。
【００４１】
なお、本発明は上記の実施の形態に限定されるものではなく、その要旨の範囲内で数々の変形が可能である。
【００４２】
例えば、上記の実施の形態において、図１に示す電話装置１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、および、電話回線インターフェース等を備えたＰＣ（Ｐｅｒｓｏｎａｌ  Ｃｏｍｐｕｔｅｒ）、スマートフォン等の汎用コンピュータにおいて、ＣＰＵが所定のプログラムを補助記憶装置からメモリ上にロードして実行することで実現されるものでもよい。
【００４３】
また、上記の実施の形態において、第一基準レベルおよび第二基準レベルは、操作部１１２を介してユーザが制御部１８に設定してもよい。ここで、マイク入力信号および受話信号において、ハウリングを引き起こす可能性のある音量レベルに差異がないならば、第一基準レベルおよび第二基準レベルを共通の基準レベルとしてもよい。
【００４４】
同様に、上記の実施の形態において、第一抑制レベルおよび第二抑制レベルは、操作部１１２を介してユーザが制御部１８に設定してもよい。ここで、スピーカ出力信号および送話信号において、ハウリングを引き起こす可能性のない音量レベルに差異がないならば、第一抑制レベルおよび第二抑制レベルを共通の抑制レベルとしてもよい。
【００４５】
また、第一基準レベルおよび第一抑制レベルを共通とし、第二基準レベルおよび第二抑制レベルを共通としてもよい。
【００４６】
また、上記の実施の形態では、本発明のハウリング防止装置を電話装置に内蔵した場合を例にとり説明したが、本発明はこれに限定されない。本発明のハウリング防止装置は、電話装置とは別の装置であってもよい。この場合、マイク入力信号測定部１３、受話信号測定部１４、送話信号調整部１５、スピーカ出力信号調整部１６、判定部１７、および制御部１８を有するハウリング防止装置を、既存の電話装置とハンズフリー用のマイク、スピーカとの間に設置する。具体的には、送話信号調整部１５を電話装置のマイク入力端子に接続するとともに、受話信号測定部１４を電話装置のスピーカ出力端子に接続する。また、マイク入力信号測定部１３をハンズフリー用のマイクに接続するとともに、スピーカ出力信号調整部１６をハンズフリー用のスピーカに接続する。
【符号の説明】
【００４７】
１：電話装置、  １０：通信インターフェース部、  １１：マンマシンインターフェース部、  １２：電話機能部、  １３：マイク入力信号測定部、  １４：受話信号測定部、  １５：送話信号調整部、  １６：スピーカ出力信号調整部、  １７：判定部、  １８：制御部、  １１０：マイク、  １１１：スピーカ、  １１２：操作部、  １１３：表示部
【図１】
2019004394.tif 000003
【図２】
2019004394.tif 000004